(57)【要約】【課題】照射面の反射率が変化したことを検出し、より好適な照度一定制御を可能とする。【解決手段】調光信号出力用の調光信号出力部１１と、光源２０による照射面の明るさを検出する明るさセンサ１２と、記憶部１３Ａと、制御部１０Ａとで照明制御装置１Ａを構成した。記憶部１３Ａは、照射面の明るさの目標レベルを決める目標情報を記憶するとともに、それが記憶される際に、その目標情報で決まる目標レベルとなる調光信号を得るための制御情報を記憶する。制御部１０Ａは、従来と同様の照度一定制御を行う明るさ制御機能１０２のほか、調光部２１に出力される調光信号を得るための制御情報と、記憶部１３Ａに記憶された制御情報との比較を行い、それら双方の制御情報に相違があった場合に照射面の反射率が変化したことを検出する反射率検出機能１０３などを有している。【選択図】  図１
2004234910.tif 000002
【特許請求の範囲】
【請求項１】
調光信号に従って光源の光出力レベルを制御する調光手段を利用して、前記光源の光出力レベルを制御する照明制御装置であって、
前記調光信号出力用の調光信号出力手段と、
前記光源による照射面の明るさを検出する明るさ検出手段と、
前記照射面の明るさの目標レベルを決める目標情報を記憶する目標明るさ情報記憶手段と、
前記目標明るさ情報記憶手段に前記目標情報が記憶される際に、その目標情報で決まる目標レベルとなる調光信号を得るための制御情報を記憶する調光情報記憶手段と、
前記明るさ検出手段から得られる明るさレベルが、前記目標明るさ情報記憶手段に記憶された目標情報で決まる目標レベルになるように、前記光出力レベルを制御するための制御情報を設定し、この制御情報から得られる調光信号を前記調光手段に前記調光信号出力手段を通じて出力する明るさ制御手段と、
前記調光手段に出力される調光信号を得るための制御情報と、前記調光情報記憶手段に記憶された制御情報との比較を行い、それら双方の制御情報に相違があった場合に前記照射面の反射率が変化したことを検出する反射率検出手段と
を備えることを特徴とする照明制御装置。
【請求項２】
時刻監視用の計時手段を備え、
前記反射率検出手段は、前記計時手段で監視されている時刻が所定時刻になったとき、前記比較を行い、前記双方の制御情報に相違があった場合に前記照射面の反射率が変化したことを検出する
ことを特徴とする請求項１記載の照明制御装置。
【請求項３】
前記反射率検出手段は、前記調光手段に出力される調光信号を得るための制御情報が所定時間変化しないとき、前記比較を行い、前記双方の制御情報に相違があった場合に前記照射面の反射率が変化したことを検出することを特徴とする請求項１記載の照明制御装置。
【請求項４】
前記照射面の反射率が変化したことを前記反射率検出手段が検出すると、前記光出力レベルを所定レベルだけ変化させるための制御情報を設定し、この制御情報から得られる調光信号を前記調光手段に前記調光信号出力手段を通じて出力し、その調光信号の出力の前後に前記明るさ検出手段から得られる両明るさレベルの変化量を計測する検出レベル変化量計測手段を備えることを特徴とする請求項２または３記載の照明制御装置。
【請求項５】
前記目標明るさ情報記憶手段に前記目標情報が記憶される際に、前記明るさ検出手段で検出される明るさの前記所定レベル当たりの変化量を得るための情報を記憶する判定用変化量記憶手段と、
前記検出レベル変化量計測手段で計測された変化量と、前記判定用変化量記憶手段から得られる前記所定レベル当たりの変化量との比較を行い、それら双方の変化量に差があった場合に前記照射面の反射率が変化したことを検出する第２の反射率検出手段と
を備えることを特徴とする請求項４記載の照明制御装置。
【請求項６】
前記明るさ制御手段で設定された制御情報から得られる調光レベルと、前記調光情報記憶手段に記憶された制御情報から得られる調光レベルとの比から、前記照射面の反射率の変化量を求める反射率変化量演算手段を備えることを特徴とする請求項２、３または５記載の照明制御装置。
【請求項７】
前記判定用変化量記憶手段から得られる前記所定レベル当たりの変化量と、前記検出レベル変化量計測手段で計測された変化量との比から、前記照射面の反射率の変化量を求める反射率変化量演算手段を備えることを特徴とする請求項５記載の照明制御装置。
【請求項８】
前記反射率変化量演算手段で求められた変化量と、前記目標明るさ情報記憶手段に記憶されている目標情報とから、前記照射面の明るさの新しい目標レベルを求める新目標レベル演算手段を備えることを特徴とする請求項６または７記載の照明制御装置。
【請求項９】
前記目標明るさ情報記憶手段は、前記明るさ制御手段が、前記新目標レベル演算手段で求められた目標レベルを用いて明るさ一定制御を試みた場合に、前記明るさ検出手段から得られる明るさレベルが、前記新しい目標レベルになれば、この目標レベルを決める新目標情報を個別に記憶することを特徴とする請求項８記載の照明制御装置。
【請求項１０】
前記目標明るさ情報記憶手段に前記新目標情報が記憶された後は、前記照射面の反射率が変化したことを検出する場合には、前記新目標情報を使用し、前記照射面の明るさの新たな目標レベルを求める場合には、前記目標明るさ情報記憶手段に記憶された最初の目標情報を使用することを特徴とする請求項９記載の照明制御装置。
【請求項１１】
前記照射面の反射率が変化したことを検出された場合、前記調光情報記憶手段から制御情報を読み出し、この制御情報から得られる調光信号を前記調光手段に前記調光信号出力手段を通じて出力し、前記明るさ検出手段の検出結果から新しい目標レベルを決める新目標情報を得て前記目標明るさ情報記憶手段に個別に記憶する新目標情報登録手段を備えることを特徴とする請求項２、３または５記載の照明制御装置。
【請求項１２】
リモコン信号受信手段と、
前記リモコン信号受信手段で再設定信号が受信されると、前記調光情報記憶手段から制御情報を読み出し、この制御情報から得られる調光信号を前記調光手段に前記調光信号出力手段を通じて出力し、前記明るさ検出手段の検出結果から新しい目標レベルを決める新目標情報を得て前記目標明るさ情報記憶手段に個別に記憶する新目標情報登録手段と
を備えることを特徴とする請求項１記載の照明制御装置。
【発明の詳細な説明】
【０００１】
【発明の属する技術分野】
本発明は、調光信号に従って光源の光出力レベルを制御する調光手段を利用して、光源の光出力レベルを制御する照明制御装置に関するものである。
【０００２】
【従来の技術】
図１４は従来の照明制御装置の構成図、図１５，図１６は同照明制御装置の制御部の説明図である。
【０００３】
図１４に示す照明制御装置１は、少なくとも一つの照明器具２における、調光信号に従って光源２０の光出力レベルを制御する調光部２１を利用して、その光源２０の光出力レベルを制御するものであり、調光信号出力用の調光信号出力部１１と、光源２０による照射面（例えば机上面）の明るさを検出する明るさセンサ１２と、照射面の明るさの目標レベルを決める目標情報などを記憶するための記憶部１３とを備えているほか、制御部１０を備えている。
【０００４】
制御部１０は、明るさセンサ１２から得られる明るさレベルが、記憶部１３に記憶された目標情報で決まる目標レベルになるように、光源２０の光出力レベルを制御（照度一定制御）するための制御情報を設定し、この制御情報から得られる調光信号を調光部２１に調光信号出力部１１を通じて出力する制御などの処理を実行するものである。
【０００５】
上記構成の照明制御装置１では、予め以下の手順で目標情報が記憶部１３に記憶される。ただし、照明制御装置１は、図示しないリモコンからの信号を受信するための受信部を備え、この受信部で受信された信号に従って制御部１０が光源２０の光出力レベルを制御する処理をさらに行う構成になっているとして説明する。
【０００６】
照度計などを用いて、照射面の照度が所望の明るさ（照度）の目標レベルになるように、リモコンを操作して光源２０の光出力（調光）レベルを変化させる。そして、目標レベルになれば、リモコンを操作してリモコンから照明制御装置１に目標レベルの設定信号を送信し、図１５に示すように、その目標レベルを決める目標情報を制御部１０によって記憶部１３に記憶させる。図１５の例では、目標レベルを決める目標情報として、制御部１０によって明るさセンサ１２から得られるセンサ信号レベルが読み込まれ、それが記憶部１３に記憶されるようになっている。また、目標情報は、ある一つの値の目標レベルを決めるのではなく、図１６に示すように、目標センサ値上限〜目標センサ値下限の幅を目標レベルに持たせるようになっている。
【０００７】
次に制御部１０による照度一定制御について説明すると、明るさセンサ１２から得られる明るさレベルが、記憶部１３に記憶された目標情報で決まる目標レベルになるように（収まるように）、光源２０の光出力レベルが制御される。
【０００８】
ここで、明るさセンサ１２の計測値には、ノイズ成分や瞬間的な明るさ変動成分などが含まれるので、そのような成分の影響を受けないようにするため、多数回の計測値の平均値をセンサ信号レベルとするのが一般的となっている。したがって、この場合には、センサ信号レベルが記憶部１３に記憶された目標レベルになっているか、つまり目標レベルの範囲内に入っているかどうかによって光源２０の光出力レベルが制御されることになる。図１６に示すように、センサ信号レベル（図では「センサ値」）が目標レベルの範囲内に入っていれば、現在の光出力レベル（「調光率」）が維持される。
【０００９】
これに対し、センサ信号レベルの値が目標レベルの範囲の目標センサ値上限よりも大きければ、現在の光出力レベルを下げる一方、目標センサ値下限よりも小さければ、現在の光出力レベルを上げる制御が実行される。
【００１０】
ここで、現在の光出力レベルを上げる制御についてさらに詳述すると、現在の調光率を１％程度上げ、この後、センサ信号レベルが目標レベルの範囲内に入っているかどうかを判定し、入っていれば現在の光出力レベルを維持する一方、入っていなければ、調光率をさらに１％程度上げて同様の制御を繰り返す処理が実行される。これと同様に光出力レベルを下げる制御が実行される。
【００１１】
なお、特開２００２−２０３６８８号公報（特許文献１）には、切換操作手段を操作して、照明制御装置の調光制御を中断し、照明制御中の任意の調光度を記憶する第２の記憶手段に対し、既に記憶されている調光度としての調光信号を、調光信号生成手段に対して出力し、照度センサによって検出される照度値を第１の記憶手段に更新記憶するようにした照明制御装置が開示されている。
【００１２】
また、特開平１１−６７４６５号公報（特許文献２）には、被照射面照度値が目標値になったときの、制御部からランプへの送信出力データを記憶し、照度検知部の検出機能を停止させ、該記憶データをもとにランプを点灯維持するようにした照明装置が記載されている。
【００１３】
【特許文献１】
特開２００２−２０３６８８号公報
【特許文献２】
特開平１１−６７４６５号公報
【００１４】
【発明が解決しようとする課題】
一般に、上記従来の照明制御装置の明るさセンサは、天井面に取り付けられ、床面側からの光源の反射光を検出するようになっているため、床面側の反射率が変化すると、明るさセンサから得られる明るさレベルが変化してしまい、周囲の明るさが変化していないにも関わらず、上記照度一定制御によって光源の光出力レベルが変化してしまうという課題がある。
【００１５】
特許文献１に記載された照明制御装置では、照明器具の光束による床面の反射率ないし反射係数が大幅に変動した場合においても、明るさ（照度）センサの検出値に基づく照明器具の調光度の設定変更を容易かつ簡便に行い、床面に対する照度一定制御を適正に達成することができるものの、明るさセンサから得られる明るさレベルの変化が、外光の変化によるものなのか、床面の反射率変化によるものなのかを判別することができないため、切換操作手段を操作しない限り、旧環境での照度一定制御が維持されることになる。
【００１６】
また、特許文献２に記載された照明装置では、照度検知部の検出機能を停止させるので、照度一定制御にて光源を制御するには、常に外光の光量を検知する外光検知部をさらに設けることを必要としている。
【００１７】
本発明は、上記事情に鑑みてなされたものであり、照射面の反射率が変化したことを検出することができ、より好適な照度一定制御が可能となる照明制御装置を提供することを目的とする。
【００１８】
【課題を解決するための手段】
上記課題を解決するための請求項１記載の発明は、調光信号に従って光源の光出力レベルを制御する調光手段を利用して、前記光源の光出力レベルを制御する照明制御装置であって、前記調光信号出力用の調光信号出力手段と、前記光源による照射面の明るさを検出する明るさ検出手段と、前記照射面の明るさの目標レベルを決める目標情報を記憶する目標明るさ情報記憶手段と、前記目標明るさ情報記憶手段に前記目標情報が記憶される際に、その目標情報で決まる目標レベルとなる調光信号を得るための制御情報を記憶する調光情報記憶手段と、前記明るさ検出手段から得られる明るさレベルが、前記目標明るさ情報記憶手段に記憶された目標情報で決まる目標レベルになるように、前記光出力レベルを制御するための制御情報を設定し、この制御情報から得られる調光信号を前記調光手段に前記調光信号出力手段を通じて出力する明るさ制御手段と、前記調光手段に出力される調光信号を得るための制御情報と、前記調光情報記憶手段に記憶された制御情報との比較を行い、それら双方の制御情報に相違があった場合に前記照射面の反射率が変化したことを検出する反射率検出手段とを備えることを特徴とする。
【００１９】
請求項２記載の発明は、請求項１記載の照明制御装置において、時刻監視用の計時手段を備え、前記反射率検出手段は、前記計時手段で監視されている時刻が所定時刻になったとき、前記比較を行い、前記双方の制御情報に相違があった場合に前記照射面の反射率が変化したことを検出することを特徴とする。
【００２０】
請求項３記載の発明は、請求項１記載の照明制御装置において、前記反射率検出手段は、前記調光手段に出力される調光信号を得るための制御情報が所定時間変化しないとき、前記比較を行い、前記双方の制御情報に相違があった場合に前記照射面の反射率が変化したことを検出することを特徴とする。
【００２１】
請求項４記載の発明は、請求項２または３記載の照明制御装置において、前記照射面の反射率が変化したことを前記反射率検出手段が検出すると、前記光出力レベルを所定レベルだけ変化させるための制御情報を設定し、この制御情報から得られる調光信号を前記調光手段に前記調光信号出力手段を通じて出力し、その調光信号の出力の前後に前記明るさ検出手段から得られる両明るさレベルの変化量を計測する検出レベル変化量計測手段を備えることを特徴とする。
【００２２】
請求項５記載の発明は、請求項４記載の照明制御装置において、前記目標明るさ情報記憶手段に前記目標情報が記憶される際に、前記明るさ検出手段で検出される明るさの前記所定レベル当たりの変化量を得るための情報を記憶する判定用変化量記憶手段と、前記検出レベル変化量計測手段で計測された変化量と、前記判定用変化量記憶手段から得られる前記所定レベル当たりの変化量との比較を行い、それら双方の変化量に差があった場合に前記照射面の反射率が変化したことを検出する第２の反射率検出手段とを備えることを特徴とする。
【００２３】
請求項６記載の発明は、請求項２、３または５記載の照明制御装置において、前記明るさ制御手段で設定された制御情報から得られる調光レベルと、前記調光情報記憶手段に記憶された制御情報から得られる調光レベルとの比から、前記照射面の反射率の変化量を求める反射率変化量演算手段を備えることを特徴とする。
【００２４】
請求項７記載の発明は、請求項５記載の照明制御装置において、前記判定用変化量記憶手段から得られる前記所定レベル当たりの変化量と、前記検出レベル変化量計測手段で計測された変化量との比から、前記照射面の反射率の変化量を求める反射率変化量演算手段を備えることを特徴とする。
【００２５】
請求項８記載の発明は、請求項６または７記載の照明制御装置において、前記反射率変化量演算手段で求められた変化量と、前記目標明るさ情報記憶手段に記憶されている目標情報とから、前記照射面の明るさの新しい目標レベルを求める新目標レベル演算手段を備えることを特徴とする。
【００２６】
請求項９記載の発明は、請求項８記載の照明制御装置において、前記目標明るさ情報記憶手段は、前記明るさ制御手段が、前記新目標レベル演算手段で求められた目標レベルを用いて明るさ一定制御を試みた場合に、前記明るさ検出手段から得られる明るさレベルが、前記新しい目標レベルになれば、この目標レベルを決める新目標情報を個別に記憶することを特徴とする。
【００２７】
請求項１０記載の発明は、請求項９記載の照明制御装置において、前記目標明るさ情報記憶手段に前記新目標情報が記憶された後は、前記照射面の反射率が変化したことを検出する場合には、前記新目標情報を使用し、前記照射面の明るさの新たな目標レベルを求める場合には、前記目標明るさ情報記憶手段に記憶された最初の目標情報を使用することを特徴とする。
【００２８】
請求項１１記載の発明は、請求項２、３または５記載の照明制御装置において、前記照射面の反射率が変化したことを検出された場合、前記調光情報記憶手段から制御情報を読み出し、この制御情報から得られる調光信号を前記調光手段に前記調光信号出力手段を通じて出力し、前記明るさ検出手段の検出結果から新しい目標レベルを決める新目標情報を得て前記目標明るさ情報記憶手段に個別に記憶する新目標情報登録手段を備えることを特徴とする。
【００２９】
請求項１２記載の発明は、請求項１記載の照明制御装置において、リモコン信号受信手段と、前記リモコン信号受信手段で再設定信号が受信されると、前記調光情報記憶手段から制御情報を読み出し、この制御情報から得られる調光信号を前記調光手段に前記調光信号出力手段を通じて出力し、前記明るさ検出手段の検出結果から新しい目標レベルを決める新目標情報を得て前記目標明るさ情報記憶手段に個別に記憶する新目標情報登録手段とを備えることを特徴とする。
【００３０】
【発明の実施の形態】
（第１実施形態）
図１は本発明による第１実施形態の照明制御装置の構成図である。なお、図１（ｂ）は図１（ａ）中の制御部の機能ブロック図である。
【００３１】
第１実施形態の照明制御装置１Ａは、図１に示すように、少なくとも一つの照明器具２における、調光信号に従って光源２０の光出力レベルを制御する調光部２１を利用して、その光源２０の光出力レベルを制御するものである。
【００３２】
照明制御装置１Ａは、調光信号出力用の調光信号出力部１１と、光源２０による照射面の明るさを検出する明るさセンサ１２とを図１４に示した従来の照明制御装置１と同様に備えているほか、従来の照明制御装置１との相違点として、記憶部１３Ａと、制御部１０Ａとを備えている。
【００３３】
ここで、照明器具２は天井取付型のものであり、その光源２０（例えば蛍光灯など）が天井から床面に向けて光を照射する。このため、床面側が光源２０による照射面となり、例えば天井面に設置された明るさセンサ１２によってその照射面の明るさが検出されることになる。
【００３４】
記憶部１３Ａは、例えばＥＥＰＲＯＭまたはフラッシュメモリなどの不揮発性の半導体記憶装置により構成され、上記照射面の明るさの目標レベルを決める目標情報、およびこの目標情報が記憶される際に、光源２０の光出力レベルがその目標情報で決まる目標レベルとなる調光信号を得るための制御情報（以下「再設定用制御情報」という）などを記憶する。図１の例では、目標情報は、「目標センサ信号レベル１２７」になっており、再設定用制御情報は、「目標センサレベル記憶時の調光レベル５０％」になっている。
【００３５】
制御部１０Ａは、ＣＰＵおよびＲＯＭなどにより構成され、ＲＯＭに記憶されたプログラムに従って各種制御などの処理を実行するマイコン（マイクロコンピュータ）であり、目標情報登録機能１００、再設定用制御情報登録機能１０１、明るさ制御機能１０２および反射率検出機能１０３などを有している。なお、上記ＲＯＭには、上記プログラムのほか、１％毎の調光率とこれらの各々に対応付けられたタイマレジスタ値を含む調光テーブルが記憶されている。
【００３６】
目標情報登録機能１００は、例えば従来の照明制御装置１の制御部１０と同様にして目標情報を記憶部１３Ａに記憶する制御を実行する。
【００３７】
再設定用制御情報登録機能１０１は、目標情報登録機能１００が目標情報を記憶部１３Ａに記憶する際に、光源２０の光出力レベルがその目標情報で決まる目標レベルとなる調光信号を得るための再設定用制御情報を記憶部１３Ａに記憶する制御を実行する。
【００３８】
明るさ制御機能１０２は、明るさセンサ１２から得られる明るさレベルが、記憶部１３Ａに記憶された目標情報で決まる目標レベルになるように、光源２０の光出力レベルを制御するための制御情報（以下「照度一定制御情報」という）を設定し、この照度一定制御情報から得られる調光信号を調光部２１に調光信号出力部１１を通じて出力する制御を実行する。ここでの調光信号は、例えば１％程度の一定の変化量で調光率が変化するように、調光テーブルの値（例えば調光率が「５０％」の場合には「１２０」）を参照することにより生成される。
【００３９】
反射率検出機能１０３は、照度一定制御情報と再設定用制御情報との比較を行い、それら双方に相違があった場合に上記照射面の反射率が変化したことを検出する処理を実行する。
【００４０】
このような構成の照明制御装置１Ａでは、予め以下の手順で目標情報および再設定用制御情報が記憶部１３Ａに記憶される。ただし、第１実施形態でも従来の照明制御装置１と同様に、照明制御装置１Ａが、図示しないリモコンからの信号を受信するための受信部を備え、この受信部で受信された信号に従って制御部１０Ａが光源２０の光出力レベルを制御する処理をさらに行う構成になっているとして説明する。また、制御部１０Ａは、再設定用制御情報登録機能１０１の作動時、リモコンからの信号に従って、光源２０の光出力レベルを制御するための制御情報を設定するように構成されるものとする。
【００４１】
先ず、照射面の照度が所望の明るさの目標レベルになるように、リモコンの例えば照度アップダウンのボタンを押す操作を行う。これにより、光源２０の光出力を増減させるための信号がリモコンから照明制御装置１Ａに送信され、制御部１０Ａが、リモコンからの信号に従って、光源２０の光出力レベルを制御するための制御情報を設定し、この制御情報から得られる調光信号を調光部２１に調光信号出力部１１を通じて出力することにより、光源２０の光出力が増減する。
【００４２】
上記操作により、照射面の照度が所望の明るさの目標レベルになったとき、リモコンの例えば設定用のボタンを押す操作を行う。これにより、設定信号（目標センサ信号レベル記憶信号）がリモコンから照明制御装置１Ａに送信され、制御部１０Ａの制御により、明るさセンサ１２から得られる明るさレベルが目標情報として記憶部１３Ａに記憶されるとともに、現在の調光信号を得るための制御情報（調光レベル）が再設定用制御情報として記憶部１３Ａに記憶される。
【００４３】
上記手順により、目標情報および再設定用制御情報が記憶部１３Ａに記憶された後は、制御部１０Ａの明るさ制御機能１０２による照度一定制御に移行し、その照度一定制御において、制御部１０Ａの反射率検出機能１０３が、照度一定制御情報と再設定用制御情報との比較を行うことにより、照射面の反射率が変化しないかを監視する。そして、それら双方の情報に相違があった場合、上記照射面の反射率が変化したことが検出される。
【００４４】
第１実施形態によれば、記憶部１３Ａから得られる例えば調光率などの理解しやすい再設定用制御情報を確認することが可能となり、利便性を向上させることが可能になるほか、周囲環境の変化により、記憶部１３Ａに記憶されている目標情報を以前と同じ明るさになるように更新する場合に、再設定用制御情報を利用して更新することができるので、照度計などの機器が無くても、再設定を簡単に行うことが可能になる。しかも、制御部１０Ａの反射率検出機能１０３により照射面の反射率が変化したことを検出することができるので、より好適な照度一定制御が可能となる。
【００４５】
なお、第１実施形態では、調光テーブルを用いる構成になっているが、図２に示すように、調光信号出力部１１と、明るさセンサ１２と、記憶部１３Ｂと、制御部１０Ｂとにより照明制御装置１Ｂを構成し、調光テーブルを用いずに調光信号を直接変化させるようにしてもよい。この構成の場合、調光信号の信号レベルを決定する数値（例えばタイマに設定するレジスタ値）をＲＯＭなどに記憶するようにすればよい。
【００４６】
（第２実施形態）
図３は本発明による第２実施形態の照明制御装置の構成図、図４，図５は同照明制御装置における制御部の反射率検出機能の説明図である。なお、図３（ｂ）は図３（ａ）中の制御部の機能ブロック図である。
【００４７】
第２実施形態の照明制御装置１Ｃは、図３に示すように、調光信号出力部１１と、明るさセンサ１２と、記憶部１３Ａとを第１実施形態の照明制御装置１Ａと同様に備えているほか、照明制御装置１Ａとの相違点として、時刻監視用のタイマ１４と、制御部１０Ｃとを備えている。ただし、目標情報および再設定用制御情報は、外光のない時間帯に記憶部１３Ａに記憶されたものとする。
【００４８】
制御部１０Ｃは、第１実施形態の制御部１０Ａとの相違点として、反射率検出機能１０３に代えて、反射率検出機能１０３Ａを有している。
【００４９】
この反射率検出機能１０３Ａは、タイマ１４で監視されている時刻が、外光のない時間帯の所定時刻（例えば２０：００）になったとき、照度一定制御情報と再設定用制御情報との比較を行い、それら双方に相違があった場合に照射面の反射率が変化したことを検出する処理を実行する。なお、周囲に人が居るかどうかによっても、照射面の反射率が変化しうるので、双方の差に一定以上の差があったときに双方の情報に相違があるとするようにしてもよい。
【００５０】
また、第２実施形態では、図示しないＬＥＤなどの表示手段が設けられ、この表示手段は、反射率検出機能１０３Ａが照射面の反射率が変化したことを検出したときに点灯ないし点滅されるようになっている。
【００５１】
このような構成の照明制御装置１Ｃでは、タイマ１４で監視されている時刻が所定時刻になったとき、照度一定制御情報（現在制御中の調光レベル）と再設定用制御情報（目標センサレベル記憶時の調光レベル）との比較が行われる。そして双方に相違がなかった場合には上記表示手段は消灯したままとなる一方、相違があった場合には上記表示手段は点灯ないし点滅する。これにより、点灯ないし点滅する表示手段により、利用者は照射面の反射率が変化したことを知ることができる。
【００５２】
ここで、照射面の反射率に変化がない場合には、図４に示すように、外光の無い各時点では、ｔ１，ｔ２時点のように調光率がほぼ同じになるのに対し、照射面の反射率に変化がある場合には、図４に示すように、外光の無い各時点でも、反射率に変化があった前後で調光率が変化する。
【００５３】
第２実施形態によれば、外光のない時間帯の所定時刻になったとき、照度一定制御情報と再設定用制御情報との比較を行うので、照射面の反射率が変化したことを簡単な構成で精度良く検出することができる。
【００５４】
また、照射面の反射率が変化したことを反射率検出機能１０３Ａが検出したときに表示手段が点灯ないし点滅するので、照射面の反射率が変化したことを利用者に知らせることができ、照射面の反射率が変化した環境に合うように、目標情報の更新を促すことができる。
【００５５】
（第３実施形態）
図６は本発明による第３実施形態の照明制御装置における制御部の機能ブロック図である。
【００５６】
第３実施形態の照明制御装置は、調光信号出力部１１と、明るさセンサ１２と、記憶部１３Ａとを第１実施形態の照明制御装置１Ａと同様に備えるほか、図６に示すように、照明制御装置１Ａとの相違点として、反射率検出機能１０３に代えて反射率検出機能１０３Ｂを有する制御部１０Ｄを備えている。ただし、目標情報および再設定用制御情報は、外光のない時間帯に記憶部１３Ａに記憶されたものとする。
【００５７】
反射率検出機能１０３Ｂは、調光部２１に出力される調光信号を得るための照度一定制御情報が所定時間変化しないとき、照度一定制御情報と再設定用制御情報との比較を行い、それら双方に相違があった場合に照射面の反射率が変化したことを検出する処理を実行する。なお、周囲に人が居るかどうかによっても、照射面の反射率が変化しうるので、双方の差に一定以上の差があったときに双方の情報に相違があるとするようにしてもよい。
【００５８】
このような構成の照明制御装置では、調光部２１に出力される調光信号を得るための照度一定制御情報（現在制御中の調光レベル）が、所定時間変化しないとき、照度一定制御情報と再設定用制御情報（目標センサレベル記憶時の調光レベル）との比較が行われる。そして双方に相違があった場合に、照射面の反射率が変化したことが検出される。
【００５９】
ここで、照度一定制御情報が所定時間変化しないときを要件とするのは、前述の図４の「調光率」から分かるように、その要件を満たす時間帯を外光のない時間帯とみなすことができることによる。
【００６０】
第３実施形態によれば、所定時間の計測には、照度一定制御の所定回数で管理することもできるために必ずしもタイマを必要としないので、照射面の反射率が変化したことをより一層簡単な構成で精度良く検出することができる。
【００６１】
さらに、現在のセンサ信号レベルが目標センサ信号レベルの範囲内にある場合という条件をつけることにより、照射面の反射率が変化したことの検出精度をより一層向上させることができる。
【００６２】
（第４実施形態）
図７は本発明による第４実施形態の照明制御装置における制御部の機能ブロック図、図８，図９は同照明制御装置の説明図である。
【００６３】
第４実施形態の照明制御装置は、調光信号出力部１１と、明るさセンサ１２と、記憶部１３Ａと、タイマ１４とを第２実施形態の照明制御装置１Ｃと同様に備えるほか、照明制御装置１Ｃとの相違点として、図７に示すように、判定用変化量登録機能１０４、検出レベル変化量計測機能１０５および第２の反射率検出機能１０６をさらに有する制御部１０Ｅを備えている。
【００６４】
ただし、記憶部１３Ａには、判定用変化量として、光源２０の光出力レベルが所定レベル（例えば調光率５％分）変化したときの明るさセンサ１２から得られる明るさレベルの変化量がさらに記憶される。
【００６５】
判定用変化量登録機能１０４は、目標情報および再設定用制御情報が記憶部１３Ａに記憶される際に、図８に示すように、光源２０の光出力レベルを所定レベルＤ１変化させる調光信号を得るための制御情報を設定し、この制御情報から得られる調光信号を調光部２１に調光信号出力部１１を通じて出力し、その調光信号の出力の前後に明るさセンサ１２から得られる両明るさレベルの変化量Ｓ１を、上記判定用変化量として記憶部１３Ａに記憶する制御を実行する。なお、ここでの所定レベルＤ１は、外光のない場合の調光レベルの変化（照度一定制御でない変化）となるため、照度一定制御時の調光レベルの変化スピードよりも遅いスピードで変化させるのが望ましい。
【００６６】
検出レベル変化量計測機能１０５は、照射面の反射率が変化したことを反射率検出機能１０３Ａが検出すると、図９に示すように、光源２０の光出力レベルをＤ１と同じ所定レベルＤ２変化させる調光信号を得るための制御情報を設定し、この制御情報から得られる調光信号を調光部２１に調光信号出力部１１を通じて出力し、その調光信号の出力の前後に明るさセンサ１２から得られる両明るさレベルの変化量Ｓ２を計測する処理を実行する。
【００６７】
第２の反射率検出機能１０６は、検出レベル変化量計測機能１０５で計測された変化量と、記憶部１３Ａに記憶された判定用変化量との比較を行い、それら双方の変化量に差があった場合に照射面の反射率が変化したことを検出する処理を実行する。なお、周囲に人が居るかどうかによっても、照射面の反射率が変化しうるので、双方の差に一定以上の差があったときに双方の情報に相違があるとするようにしてもよい。
【００６８】
このような構成の照明制御装置では、目標情報および再設定用制御情報が記憶部１３Ａに記憶される際に、判定用変化量登録機能１０４により判定用変化量Ｓ１も記憶部１３Ａに記憶される。
【００６９】
この後、明るさ制御機能１０２による照度一定制御に移行し、この照度一定制御において、反射率検出機能１０３Ａで照射面の反射率が変化したことを検出されると、検出レベル変化量計測機能１０５が作動する。
【００７０】
そうすると、明るさセンサ１２から得られる明るさレベルが測定されて一時保持される。この後、光源２０の光出力レベルを所定レベル変化させる調光信号を得るための制御情報が設定され、この制御情報から得られる調光信号が調光部２１に調光信号出力部１１を通じて出力される。これにより、光源２０の光出力レベルが所定レベル変化し、このときに明るさセンサ１２から得られる明るさレベルが測定され、一時保持している明るさレベルとの差により変化量Ｓ２が計測される。
【００７１】
この変化量Ｓ２が計測されると、第２の反射率検出機能１０６が作動し、その変化量Ｓ２と記憶部１３Ａに記憶された判定用変化量Ｓ１との比較が行わる。そして双方に相違がなかった場合には上述の表示手段は消灯したままとなる一方、相違があった場合には同表示手段は点灯ないし点滅する。
【００７２】
第４実施形態によれば、反射率検出機能１０３Ａに加えて、第２の反射率検出機能１０６によっても照射面の反射率が変化したことを検出するので、照射面の反射率が変化したことをより高精度に検出することができる。
【００７３】
（第５実施形態）
図１０は本発明による第５実施形態の照明制御装置の構成図である。なお、図１０（ｂ）は図１０（ａ）中の制御部の機能ブロック図である。
【００７４】
第５実施形態の照明制御装置１Ｆは、図１０に示すように、調光信号出力部１１と、明るさセンサ１２と、タイマ１４とを例えば第２実施形態の照明制御装置１Ｃと同様に備えているほか、照明制御装置１Ｃとの相違点として、記憶部１３Ｆと、制御部１０Ｆとを備えている。
【００７５】
記憶部１３Ｆは、目標情報および再設定用制御情報に加えて、制御部１０Ｆの演算で求められた新目標情報および新再設定用制御情報を、それぞれ個別に記憶する。図１０（ａ）の例では、目標情報は、「目標センサ信号レベル１２７」になっており、再設定用制御情報は、「目標センサレベル記憶時の調光レベル５０％」になっている。一方、新目標情報は、「演算による目標センサ信号レベル１０３」になっており、新再設定用制御情報は、「演算による目標センサレベル記憶時の調光レベル４９％」になっている。
【００７６】
制御部１０Ｆは、第２実施形態の制御部１０Ｃとの相違点として、反射率変化量演算機能１０７、新目標レベル演算機能１０８および新再設定用制御情報登録機能１０９をさらに有している。
【００７７】
反射率変化量演算機能１０７は、照射面の反射率が変化したことを反射率検出機能１０３Ａが検出すると、照度一定制御情報から得られる調光レベルと、記憶部１３Ｆに記憶された再設定用制御情報から得られる調光レベルとの比から、照射面の反射率の変化量を求める処理を実行する。
【００７８】
新目標レベル演算機能１０８は、反射率変化量演算機能１０７で変化量が求められると、この変化量と、記憶部１３Ｆに記憶されている目標情報とから、照射面の明るさの新しい目標レベルを得るための新目標情報（候補）を求め、この新目標情報を用いて明るさ制御機能１０２が照度一定制御を試みた場合に、明るさセンサ１２から得られる明るさレベルが新目標情報で決まる目標レベルになれば、新目標情報を記憶部１３Ｆに個別に記憶する処理を実行する。
【００７９】
ここで、新目標情報が記憶部１３Ｆに記憶された後は、照射面の反射率が変化したことを検出する場合には、新目標レベル演算機能１０８で求められ記憶部１３Ｆに記憶された新目標情報が使用され、照射面の明るさの新たな目標レベルを求める場合には、記憶部１３Ｆに記憶された最初の目標情報が使用される。
【００８０】
新再設定用制御情報登録機能１０９は、新目標レベル演算機能１０８により新目標情報が記憶部１３Ｆに記憶されると、その新目標情報で決まるレベルとなる調光信号を得るための制御情報を、新再設定用制御情報として記憶部１３Ｆに個別に記憶する処理を実行する。
【００８１】
このような構成の照明制御装置１Ｆでは、反射率検出機能１０３Ａで照射面の反射率が変化したことを検出されると、反射率変化量演算機能１０７が作動し、以下の演算により照射面の反射率の変化量が求められる。すなわち、照射面の反射率が変化したことを反射率検出機能１０３Ａが検出したときの照度一定制御情報から得られる調光レベルをＸ、記憶部１３Ｆに記憶された再設定用制御情報から得られる調光レベルをＹとしたとき、反射率の変化率Ｚが次式で求められる。
【００８２】
Ｚ≒（（Ｘ−Ｙ）÷Ｙ）×１００
この反射率の変化率Ｚが求められると、新目標レベル演算機能１０８が作動し、以下の演算により新目標情報ＮＴが求められる。ただし、ＣＴは現在の目標情報である。
【００８３】
ＮＴ＝（１−Ｚ÷１００）×ＣＴ
そして、新目標情報ＮＴを用いて明るさ制御機能１０２が照度一定制御を試みた場合に、明るさセンサ１２から得られる明るさレベルが新目標情報ＮＴで決まるレベルになれば（範囲内に収まれば）、新目標情報ＮＴが記憶部１３Ｆに個別に記憶される。
【００８４】
この後、新再設定用制御情報登録機能１０９が作動し、新目標情報ＮＴで決まるレベルとなる調光信号を得るための制御情報が、新再設定用制御情報として記憶部１３Ｆに個別に記憶される。
【００８５】
この後、照射面の反射率が変化したことを検出する場合には、新目標レベル演算機能１０８で求められ記憶部１３Ｆに記憶された新目標情報が使用され、照射面の明るさの新たな目標レベルを求める場合は、記憶部１３Ｆに記憶された最初の目標情報が使用される。
【００８６】
第５実施形態によれば、反射率の変化量を演算により求めることができ、その変化量により、新目標情報と新再設定用制御情報とを演算により求めることができる。
【００８７】
また、新目標情報が記憶部１３Ｆに記憶された後、照射面の反射率が変化したことを検出する場合には、新目標情報を基準にし、照射面の明るさの新たな目標レベルを求める場合には、記憶部１３Ｆに記憶された最初の目標情報を基準にするため、演算の繰り返しによる新目標情報に対する蓄積誤差を低減することができる。
【００８８】
（第６実施形態）
図１１は本発明による第６実施形態の照明制御装置における制御部の機能ブロック図である。
【００８９】
第６実施形態の照明制御装置は、調光信号出力部１１と、明るさセンサ１２と、記憶部１３Ａと、タイマ１４とを第４実施形態の照明制御装置と同様に備えるほか、第４実施形態の照明制御装置との相違点として、図１１に示すように、反射率変化量演算機能１０７Ａおよび新目標レベル演算機能１０８をさらに有する制御部１０Ｇを備えている。なお、新目標レベル演算機能１０８は第５実施形態と同様である。
【００９０】
反射率変化量演算機能１０７Ａは、照射面の反射率が変化したことを第２の反射率検出機能１０６が検出すると、検出レベル変化量計測機能１０５で計測された変化量Ｓ２と、記憶部１３Ａに記憶された判定用変化量Ｓ１との比から、照射面の反射率の変化量を求める処理を実行する。
【００９１】
このような構成の照明制御装置では、照射面の反射率が変化したことを第２の反射率検出機能１０６が検出すると、反射率変化量演算機能１０７Ａが作動し、以下の演算により照射面の反射率の変化量（ここでは変化率Ｚ）が求められる。
【００９２】
Ｚ≒（（Ｓ２−Ｓ１）÷Ｓ１）×１００
この反射率の変化率Ｚが求められると、新目標レベル演算機能１０８が作動し、以下の演算により新目標情報ＮＴが求められる。ただし、ＣＴは現在の目標情報である。
【００９３】
ＮＴ＝（１−Ｚ÷１００）×ＣＴ
そして、新目標情報ＮＴを用いて明るさ制御機能１０２が照度一定制御を試みた場合に、明るさセンサ１２から得られる明るさレベルが新目標情報ＮＴで決まるレベルになれば（範囲内に収まれば）、新目標情報ＮＴが記憶部１３Ｆに個別に記憶される。
【００９４】
第６実施形態によれば、反射率の変化量を演算により求めることができ、その変化量により、新目標情報と新再設定用制御情報とを演算により求めることができる。
【００９５】
（第７実施形態）
図１２は本発明による第７実施形態の照明制御装置における制御部の機能ブロック図である。
【００９６】
第７実施形態の照明制御装置は、調光信号出力部１１と、明るさセンサ１２と、記憶部１３Ａと、タイマ１４とを例えば第２実施形態の照明制御装置１Ｃと同様に備えるほか、照明制御装置１Ｃとの相違点として、図１２に示すように、新目標情報登録機能１０９をさらに有する制御部１０Ｈを備えている。
【００９７】
新目標情報登録機能１０９は、照射面の反射率が変化したことを反射率検出機能１０３Ａが検出すると、記憶部１３Ａから再設定用制御情報を読み出し、この再設定用制御情報から得られる調光信号を調光部２１に調光信号出力部１１を通じて出力し、明るさセンサ１２の検出結果から新しい目標レベルを決める新目標情報を得て記憶部１３Ａに個別に記憶する処理を行う。
【００９８】
このような構成の照明制御装置では、照射面の反射率が変化したことを反射率検出機能１０３Ａが検出すると、明るさ制御機能１０２による照度一定制御が中断し、新目標情報登録機能１０９が作動する。そして、記憶部１３Ａから再設定用制御情報が読み出され、その再設定用制御情報から得られる調光信号が調光部２１に調光信号出力部１１を通じて出力され、明るさセンサ１２から得られる明るさレベルが新目標情報として記憶部１３Ａに個別に記憶される。この後、明るさ制御機能１０２が作動し、記憶部１３Ａに記憶された新目標情報を用いた照度一定制御が実行される。
【００９９】
第７実施形態によれば、照射面の反射率が変化した場合、反射率が変化した後の周囲環境に適合する新目標情報が自動的に登録され、引き続き好適な照度一定制御を実行することができる。
【０１００】
（第８実施形態）
図１３は本発明による第８実施形態の照明制御装置の構成図である。
【０１０１】
第８実施形態の照明制御装置１Ｊは、図１３に示すように、調光信号出力部１１と、明るさセンサ１２と、記憶部１３Ａとを例えば第７実施形態の照明制御装置と同様に備えているほか、第７実施形態の照明制御装置との相違点として、リモコン信号受信用の受信部１５と、制御部１０Ｊとを備えている。
【０１０２】
制御部１０Ｊは、第７実施形態の制御部１０Ｈのものと相違する新目標情報登録機能１０９Ａを有している。新目標情報登録機能１０９Ａは、受信部１５でリモコンからの再設定信号が受信されると、記憶部１３Ａから再設定用制御情報を読み出し、この再設定用制御情報から得られる調光信号を調光部２１に調光信号出力部１１を通じて出力し、明るさセンサ１２の検出結果から明るさの新しい目標レベルを決める新目標情報を得て記憶部１３Ａに個別に記憶する処理を行う。
【０１０３】
このような構成の照明制御装置１Ｊでは、表示手段の点灯ないし点滅を見て、利用者がリモコンの例えば再設定ボタンを押せば、リモコンから送信される再設定信号が受信部１５で受信される。これに応じて、明るさ制御機能１０２による照度一定制御が中断し、新目標情報登録機能１０９Ａが作動する。そして、記憶部１３Ａから再設定用制御情報が読み出され、その再設定用制御情報から得られる調光信号が調光部２１に調光信号出力部１１を通じて出力され、明るさセンサ１２から得られる明るさレベルが新目標情報として記憶部１３Ａに個別に記憶される。この後、明るさ制御機能１０２が作動し、記憶部１３Ａに記憶された新目標情報を用いた照度一定制御が実行される。
【０１０４】
第８実施形態によれば、例えば利用者が部屋の模様替えなどを行った場合、照度計などの特別な機器を用意しなくても、模様替え前とほぼ同じ照度になるように目標情報を簡単に再設定することができる。
【０１０５】
【発明の効果】
以上のことから明らかなように、請求項１記載の発明は、調光信号に従って光源の光出力レベルを制御する調光手段を利用して、前記光源の光出力レベルを制御する照明制御装置であって、前記調光信号出力用の調光信号出力手段と、前記光源による照射面の明るさを検出する明るさ検出手段と、前記照射面の明るさの目標レベルを決める目標情報を記憶する目標明るさ情報記憶手段と、前記目標明るさ情報記憶手段に前記目標情報が記憶される際に、その目標情報で決まる目標レベルとなる調光信号を得るための制御情報を記憶する調光情報記憶手段と、前記明るさ検出手段から得られる明るさレベルが、前記目標明るさ情報記憶手段に記憶された目標情報で決まる目標レベルになるように、前記光出力レベルを制御するための制御情報を設定し、この制御情報から得られる調光信号を前記調光手段に前記調光信号出力手段を通じて出力する明るさ制御手段と、前記調光手段に出力される調光信号を得るための制御情報と、前記調光情報記憶手段に記憶された制御情報との比較を行い、それら双方の制御情報に相違があった場合に前記照射面の反射率が変化したことを検出する反射率検出手段とを備えるので、調光情報記憶手段から得られる例えば調光率などの理解しやすい内容で設定内容を確認することが可能となり、利便性を向上させることが可能になるほか、周囲環境の変化により、目標明るさ情報記憶手段に記憶されている目標情報を以前と同じ明るさになるように更新する場合に、調光情報記憶手段に記憶された制御情報を利用して更新することができるので、照度計などの機器が無くても、再設定を簡単に行うことが可能になる。しかも、反射率検出手段により照射面の反射率が変化したことを検出することができるので、より好適な照度一定制御が可能となる。
【０１０６】
請求項２記載の発明は、請求項１記載の照明制御装置において、時刻監視用の計時手段を備え、前記反射率検出手段は、前記計時手段で監視されている時刻が所定時刻になったとき、前記比較を行い、前記双方の制御情報に相違があった場合に前記照射面の反射率が変化したことを検出するので、例えば、所定時刻を夜間に設定すれば、外光が無い状態で双方の制御情報の比較を行うことができるため、照射面の反射率が変化したことを簡単な構成で精度良く検出することができる。
【０１０７】
請求項３記載の発明は、請求項１記載の照明制御装置において、前記反射率検出手段は、前記調光手段に出力される調光信号を得るための制御情報が所定時間変化しないとき、前記比較を行い、前記双方の制御情報に相違があった場合に前記照射面の反射率が変化したことを検出するので、時刻監視用の計時手段を必要としないため、照射面の反射率が変化したことをより一層簡単な構成で精度良く検出することができる。
【０１０８】
請求項４記載の発明は、請求項２または３記載の照明制御装置において、前記照射面の反射率が変化したことを前記反射率検出手段が検出すると、前記光出力レベルを所定レベルだけ変化させるための制御情報を設定し、この制御情報から得られる調光信号を前記調光手段に前記調光信号出力手段を通じて出力し、その調光信号の出力の前後に前記明るさ検出手段から得られる両明るさレベルの変化量を計測する検出レベル変化量計測手段を備えるので、例えば請求項２に従属する構成の場合、夜間での明るさレベルの変化量の計測が可能になるから、高精度な計測が可能になる。
【０１０９】
請求項５記載の発明は、請求項４記載の照明制御装置において、前記目標明るさ情報記憶手段に前記目標情報が記憶される際に、前記明るさ検出手段で検出される明るさの前記所定レベル当たりの変化量を得るための情報を記憶する判定用変化量記憶手段と、前記検出レベル変化量計測手段で計測された変化量と、前記判定用変化量記憶手段から得られる前記所定レベル当たりの変化量との比較を行い、それら双方の変化量に差があった場合に前記照射面の反射率が変化したことを検出する第２の反射率検出手段とを備えるので、２つの反射率検出手段を合わせて照射面の反射率が変化したことを検出することになり、照射面の反射率が変化したことをより高精度に検出することができる。
【０１１０】
請求項６記載の発明は、請求項２、３または５記載の照明制御装置において、前記明るさ制御手段で設定された制御情報から得られる調光レベルと、前記調光情報記憶手段に記憶された制御情報から得られる調光レベルとの比から、前記照射面の反射率の変化量を求める反射率変化量演算手段を備えるので、反射率の変化量を演算で求めることができる。
【０１１１】
請求項７記載の発明は、請求項５記載の照明制御装置において、前記判定用変化量記憶手段から得られる前記所定レベル当たりの変化量と、前記検出レベル変化量計測手段で計測された変化量との比から、前記照射面の反射率の変化量を求める反射率変化量演算手段を備えるので、目標明るさ情報記憶手段に記憶された目標情報で決まる目標レベルが、一定の幅を持っている場合でも、反射率の変化量を演算で求めることができる。
【０１１２】
請求項８記載の発明は、請求項６または７記載の照明制御装置において、前記反射率変化量演算手段で求められた変化量と、前記目標明るさ情報記憶手段に記憶されている目標情報とから、前記照射面の明るさの新しい目標レベルを求める新目標レベル演算手段を備えるので、照射面の明るさの新しい目標レベルが自動的に求められるため、照射面の反射率が変化しても、もとの明るさで制御可能となる。
【０１１３】
請求項９記載の発明は、請求項８記載の照明制御装置において、前記目標明るさ情報記憶手段は、前記明るさ制御手段が、前記新目標レベル演算手段で求められた目標レベルを用いて明るさ一定制御を試みた場合に、前記明るさ検出手段から得られる明るさレベルが、前記新しい目標レベルになれば、この目標レベルを決める新目標情報を個別に記憶するので、新目標レベル演算手段で求められた目標レベルが目標明るさ情報記憶手段に個別に記憶されることになり、元の設定に戻すことができる。
【０１１４】
請求項１０記載の発明は、請求項９記載の照明制御装置において、前記目標明るさ情報記憶手段に前記新目標情報が記憶された後は、前記照射面の反射率が変化したことを検出する場合には、前記新目標情報を使用し、前記照射面の明るさの新たな目標レベルを求める場合には、前記目標明るさ情報記憶手段に記憶された最初の目標情報を使用するので、演算の繰り返しによる新目標情報に対する蓄積誤差を低減することができる。
【０１１５】
請求項１１記載の発明は、請求項２、３または５記載の照明制御装置において、前記照射面の反射率が変化したことを検出された場合、前記調光情報記憶手段から制御情報を読み出し、この制御情報から得られる調光信号を前記調光手段に前記調光信号出力手段を通じて出力し、前記明るさ検出手段の検出結果から新しい目標レベルを決める新目標情報を得て前記目標明るさ情報記憶手段に個別に記憶する新目標情報登録手段を備えるので、照射面の明るさの目標レベルが自動的に更新されるため、照射面の反射率が変化しても、もとの明るさで制御可能となり、再設定の手間を省くことが可能となる。
【０１１６】
請求項１２記載の発明は、請求項１記載の照明制御装置において、リモコン信号受信手段と、前記リモコン信号受信手段で再設定信号が受信されると、前記調光情報記憶手段から制御情報を読み出し、この制御情報から得られる調光信号を前記調光手段に前記調光信号出力手段を通じて出力し、前記明るさ検出手段の検出結果から新しい目標レベルを決める新目標情報を得て前記目標明るさ情報記憶手段に個別に記憶する新目標情報登録手段とを備えるので、照度計などの機器が無くても、再設定を簡単に実行することができる。
【図面の簡単な説明】
【図１】本発明による第１実施形態の照明制御装置の構成図である。
【図２】調光テーブルを用いない場合の照明制御装置の構成例を示す図である。
【図３】本発明による第２実施形態の照明制御装置の構成図である。
【図４】同照明制御装置における制御部の反射率検出機能の説明図である。
【図５】同照明制御装置における制御部の反射率検出機能の説明図である。
【図６】本発明による第３実施形態の照明制御装置における制御部の機能ブロック図である。
【図７】本発明による第４実施形態の照明制御装置における制御部の機能ブロック図である。
【図８】同照明制御装置の説明図である。
【図９】同照明制御装置の説明図である。
【図１０】本発明による第５実施形態の照明制御装置の構成図である。
【図１１】本発明による第６実施形態の照明制御装置における制御部の機能ブロック図である。
【図１２】本発明による第７実施形態の照明制御装置における制御部の機能ブロック図である。
【図１３】本発明による第８実施形態の照明制御装置の構成図である。
【図１４】従来の照明制御装置の構成図である。
【図１５】同照明制御装置の制御部の説明図である。
【図１６】同照明制御装置の制御部の説明図である。
【符号の説明】
１Ａ，１Ｂ，１Ｃ，１Ｆ，１Ｊ  照明制御装置
１０Ａ，１０Ｂ，１０Ｃ，１０Ｄ，１０Ｅ，１０Ｆ，１０Ｇ，１０Ｈ，１０Ｊ制御部
１１  調光信号出力部
１２  明るさセンサ
１３Ａ，１３Ｂ，１３Ｆ  記憶部
１４  タイマ
１５  受信部
２  照明器具
２０  光源
２１  調光部
【図１】
2004234910.tif 000003
【図２】
2004234910.tif 000004
【図３】
2004234910.tif 000005
【図４】
2004234910.tif 000006
【図５】
2004234910.tif 000007
【図６】
2004234910.tif 000008
【図７】
2004234910.tif 000009
【図８】
2004234910.tif 000010
【図９】
2004234910.tif 000011
【図１０】
2004234910.tif 000012
【図１１】
2004234910.tif 000013
【図１２】
2004234910.tif 000014
【図１３】
2004234910.tif 000015
【図１４】
2004234910.tif 000016
【図１５】
2004234910.tif 000017
【図１６】
2004234910.tif 000018